(57)【要約】【課題】静電式タッチパネルを有する液晶表示装置の画質の向上、および、接触面と接続部の信頼性の向上を実現する。【解決手段】静電式タッチパネル５０と液晶表示パネル３０を共通のフレキシブル配線基板７０によって、タッチパネル５０と液晶表示パネル３０が重ね合わさった内側で接続する。これによって、端子部を外部から保護し、かつ、部品点数の増加を抑える。また、静電式タッチパネル５０を液晶表示パネル３０のカラーフィルタ基板２０側に設置することによって、コントラストの低下を防止する。さらに、静電式タッチパネル基板５１側を入力のための接触面とする。これによって接触による磨耗によって、静電式タッチパネル５０の導電膜５２が破壊されることを防止する。【選択図】図１
2009116090.tif 000002
【特許請求の範囲】
【請求項１】
画素電極およびＴＦＴがマトリクス状に形成されたＴＦＴ基板と、カラーフィルタが形成されたカラーフィルタ基板によって液晶層が挟持された液晶表示パネルに静電式タッチパネルが載置され、バックライトを有する液晶表示装置であって、
前記静電式タッチパネルは前記カラーフィルタ基板上に載置され、前記静電式タッチパネルと前記ＴＦＴ基板は共通のフレキシブル配線基板によって接続され、前記バックライトは前記ＴＦＴ基板の背後に設置され、
前記フレキシブル配線基板と前記ＴＦＴ基板との接続部は前記ＴＦＴ基板の内側に形成され、前記フレキシブル配線基板と前記静電式タッチパネルとの接続部は、前記静電式タッチパネルの内側に形成されていることを特徴とする液晶表示装置。
【請求項２】
前記静電式タッチパネルにおいて、前記静電式タッチパネルの基板は外側に存在していることを特徴とする請求項１に記載の液晶表示装置。
【請求項３】
画素電極およびＴＦＴがマトリクス状に形成されたＴＦＴ基板と、カラーフィルタが形成されたカラーフィルタ基板によって液晶層が挟持された液晶表示パネルに静電式タッチパネルが載置され、バックライトを有する液晶表示装置であって、
前記静電式タッチパネルは前記カラーフィルタ基板上に載置され、前記静電式タッチパネルと前記ＴＦＴ基板は共通のフレキシブル配線基板によって接続され、前記バックライトは前記ＴＦＴ基板の背後に設置され、
前記フレキシブル配線基板と前記ＴＦＴ基板との接続部は前記ＴＦＴ基板の内側に形成され、前記フレキシブル配線基板と前記静電式タッチパネルとの接続部は、前記静電式タッチパネルの内側に形成されており、
前記フレキシブル配線基板には前記静電式タッチパネルとのみ接続する配線が形成された部分が存在しており、前記フレキシブル配線基板は、前記静電式タッチパネルとのみ接続する配線が形成された部分において折り曲げられていることを特徴とする液晶表示装置。
【請求項４】
前記フレキシブル配線基板は前記液晶表示パネルの背面に折り曲げられていることを特徴とする請求項３に記載の液晶表示装置。
【請求項５】
画素電極およびＴＦＴがマトリクス状に形成されたＴＦＴ基板と、カラーフィルタが形成されたカラーフィルタ基板によって液晶層が挟持された液晶表示パネルに静電式タッチパネルが載置され、バックライトを有する液晶表示装置であって、
前記静電式タッチパネルは前記カラーフィルタ基板上に載置され、前記静電式タッチパネルと前記ＴＦＴ基板は共通のフレキシブル配線基板によって接続され、前記バックライトは前記ＴＦＴ基板の背後に設置され、
前記フレキシブル配線基板と前記ＴＦＴ基板との接続部は前記ＴＦＴ基板の内側に形成され、前記フレキシブル配線基板と前記静電式タッチパネルとの接続部は、前記静電式タッチパネルの内側に形成されており、
前記フレキシブル配線基板には前記静電式タッチパネルとのみ接続する配線が形成された部分と、前記液晶表示パネルとのみ接続された部分とに分離された部分が存在しており、
前記フレキシブル配線基板は、前記静電式タッチパネルとのみ接続する配線が形成された部分と、前記液晶表示パネルとのみ接続された部分とに分離されている部分とにおいて、各々折り曲げられていることを特徴とする液晶表示装置。
【発明の詳細な説明】
【技術分野】
【０００１】
本発明は表示装置に係り、特にタッチパネルを有する液晶表示装置に関する。
【背景技術】
【０００２】
液晶表示装置は小型、薄型に出来ることから様々な領域に用途が拡大している。携帯電話、ＰＤＡ等はその例である。これらの装置においては、タッチパネルを入力デバイスとして使用する方式が拡大している。タッチパネルは静電容量結合方式、抵抗式等があるが、「特許文献１」には抵抗式のタッチパネルを液晶表示装置の入力装置として用いる構成が記載されている。
【０００３】
「特許文献１」では、タッチパネルと外部の回路を接続するフレキシブル配線基板と、液晶表示パネルと外部の回路を接続するフレキシブル配線基板を共通に使用することによって、外部回路との接続の部品コストを低減する構成が記載されている。また、「特許文献１」にはフレキシブル配線基板を折り返して使用することによって、表示装置全体の大きさを小さくする構成が記載されている。
【０００４】
【特許文献１】特開２００５−３８２３１号公報
【発明の開示】
【発明が解決しようとする課題】
【０００５】
図10は従来のタッチパネル付液晶表示装置の模式図である。図10において、タッチパネル５０には位置検出のための抵抗、容量等が形成されており、位置を特定するための検出回路と接続するためのフレキシブル配線基板７０が接続されている。
【０００６】
一方、液晶表示パネル３０には、電源を供給したり、画素に映像信号を供給したりするために、フレキシブル配線基板７０が取り付けられている。したがって、従来は、タッチパネル５０用のフレキシブル配線基板７０と液晶表示パネル３０用のフレキシブル配線基板７０の両方が必要であった。
【０００７】
タッチパネル５０用と液晶表示パネル３０用とに各々フレキシブル配線基板７０を使用せず、タッチパネル５０用のフレキシブル配線基板７０と液晶表示パネル３０用のフレキシブル配線基板７０を共用する構成が図11である。図11は「特許文献１」に記載の技術と同様である。「特許文献１」では、タッチパネル５０と液晶表示パネル３０を接続するフレキシブル配線基板７０は紙面垂直方向に延び、外部回路と接続することになる。
【０００８】
図11において、タッチパネル５０は表面の導電膜５２と基板とから構成されている。導電膜５２の表面には保護膜５３が形成されている。なお、「特許文献１」のタッチパネル５０は抵抗式タッチパネル５０であるが、図11は静電式タッチパネル５０である。液晶表示パネル３０は画素電極、薄膜トランジスタ（ＴＦＴ）、映像信号線、走査信号線等が形成されたＴＦＴ基板１０とカラーフィルタ等が形成されたカラーフィルタ基板２０と、ＴＦＴ基板１０とカラーフィルタ基板２０とで挟持された液晶層から構成されている。
【０００９】
図11に示す構成の問題点は次のとおりである。すなわち、タッチパネル５０は、人間が指、タッチパネル５０用ペンで等で触れるが、多くの回数触れると薄い保護膜５３が破壊され、導電膜５２も破壊され、タッチパネル５０が機能しなくなる。
【００１０】
図11に示す構成の他の問題点は、次のとおりである。すなわち、液晶表示パネル３０は自発光ではないために、画像を表示するためにはバックライト４０が必要である。図11のような構成では、バックライト４０からの光Ｌは、通常の液晶表示装置とは異なり、まず、カラーフィルタ基板２０に入射する。その後ＴＦＴ基板１０を経てタッチパネル５０側に透過光が出射する。
【００１１】
このような構成では、人間はＴＦＴ基板１０側から画像を見るために、画像のコントラストが劣化する。すなわち、カラーフィルタ基板２０側ではコントラストを上げるために、ブラックマトリクスを形成することが出来るが、ＴＦＴ基板１０側ではブラックマトリクスを形成することが困難である。
【００１２】
本発明は、静電式タッチパネル５０を使用した液晶表示装置において、タッチパネル５０を液晶表示装置のカラーフィルタ基板２０側に設置する構造を可能とすることである。また、本発明の他の課題は、液晶パネルとタッチパネル５０とを共通のフレキシブル配線基板７０で接続し、接続部の部品点数を減少させることである。また、本発明のさらに他の課題は、コンパクトなタッチパネル付液晶表示装置を実現することである。
【課題を解決するための手段】
【００１３】
本発明は以上のような課題を解決するものであり、静電式タッチパネルを液晶表示パネルのカラーフィルタ基板側に載置し、フレキシブル配線基板を液晶表示パネルとタッチパネルに共通に使用し、フレキシブル配線基板とタッチパネルとの接続部、および、フレキシブル配線基板と液晶表示パネルとの接続部を内側に形成した構成とする。具体的な手段は次のとおりである。
【００１４】
（１）画素電極およびＴＦＴがマトリクス状に形成されたＴＦＴ基板と、カラーフィルタが形成されたカラーフィルタ基板によって液晶層が挟持された液晶表示パネルに静電式タッチパネルが載置され、バックライトを有する液晶表示装置であって、前記静電式タッチパネルは前記カラーフィルタ基板上に載置され、前記静電式タッチパネルと前記ＴＦＴ基板は共通のフレキシブル配線基板によって接続され、前記バックライトは前記ＴＦＴ基板の背後に設置され、前記フレキシブル配線基板と前記ＴＦＴ基板との接続部は前記ＴＦＴ基板の内側に形成され、前記フレキシブル配線基板と前記静電式タッチパネルとの接続部は、前記静電式タッチパネルの内側に形成されていることを特徴とする液晶表示装置。
【００１５】
（２）前記静電式タッチパネルにおいて、前記静電式タッチパネルの基板は外側に存在していることを特徴とする（１）に記載の表示装置。
【００１６】
（３）画素電極およびＴＦＴがマトリクス状に形成されたＴＦＴ基板と、カラーフィルタが形成されたカラーフィルタ基板によって液晶層が挟持された液晶表示パネルに静電式タッチパネルが載置され、バックライトを有する液晶表示装置であって、前記静電式タッチパネルは前記カラーフィルタ基板上に載置され、前記静電式タッチパネルと前記ＴＦＴ基板は共通のフレキシブル配線基板によって接続され、前記バックライトは前記ＴＦＴ基板の背後に設置され、前記フレキシブル配線基板と前記ＴＦＴ基板との接続部は前記ＴＦＴ基板の内側に形成され、前記フレキシブル配線基板と前記静電式タッチパネルとの接続部は、前記静電式タッチパネルの内側に形成されており、前記フレキシブル配線基板は、前記フレキシブル配線基板には前記静電式タッチパネルとのみ接続する配線が形成された部分が存在しており、前記静電式タッチパネルとのみ接続する配線が形成された部分において折り曲げられていることを特徴とする液晶表示装置。
【００１７】
（４）前記フレキシブル配線基板は前記液晶表示パネルの背面に折り曲げられていることを特徴とする（３）に記載の液晶表示装置。
【００１８】
（５）画素電極およびＴＦＴがマトリクス状に形成されたＴＦＴ基板と、カラーフィルタが形成されたカラーフィルタ基板によって液晶層が挟持された液晶表示パネルに静電式タッチパネルが載置され、バックライトを有する液晶表示装置であって、前記静電式タッチパネルは前記カラーフィルタ基板上に載置され、前記静電式タッチパネルと前記ＴＦＴ基板は共通のフレキシブル配線基板によって接続され、前記バックライトは前記ＴＦＴ基板の背後に設置され、前記フレキシブル配線基板と前記ＴＦＴ基板との接続部は前記ＴＦＴ基板の内側に形成され、前記フレキシブル配線基板と前記静電式タッチパネルとの接続部は、前記静電式タッチパネルの内側に形成されており、前記フレキシブル配線基板には前記静電式タッチパネルとのみ接続する配線が形成された部分と、前記液晶表示パネルとのみ接続された部分とに分離された部分が存在しており、前記フレキシブル配線基板は、前記静電式タッチパネルとのみ接続する配線が形成された部分と、前記液晶表示パネルとのみ接続された部分とに分離されている部分とにおいて、各々折り曲げられていることを特徴とする液晶表示装置。
【発明の効果】
【００１９】
本発明によれば、タッチパネルを液晶表示パネルのカラーフィルタ基板側に設置できるので、画像のコントラストを維持することが出来る。また、本発明によれば、タッチパネルとフレキシブル配線基板の接続部、および、液晶表示パネルとフレキシブル配線基板の接続部を内側に設置するので、接続部の信頼性を上げることが出来る。また、タッチパネルと液晶表示パネルに接続するフレキシブル配線基板を共通に出来るので、部品点数を減らすことが出来る。
【００２０】
さらに、本発明によれば、タッチパネルの基板を外側に配置するので、タッチパネルの配線を保護することが出来る。さらに本発明によれば、フレキシブル配線基板の曲げ応力を小さくすることが出来るので、コンパクトなタッチパネル付き液晶表示装置を実現することが出来る。
【発明を実施するための最良の形態】
【００２１】
実施例にしたがって、本発明の詳細な内容を開示する。
【実施例１】
【００２２】
図１は本発明によるタッチパネル付き液晶表示装置の概略断面図である。本実施例でのタッチパネル５０は静電容量結合式（以下、静電式という）のタッチパネル５０である。静電式タッチパネル５０の概略構造は透明なタッチパネル基板５１に位置検出回路の１部を構成する導電膜５２が形成されている。図１では図示していないが、導電膜５２は保護膜によって覆われている。
【００２３】
本実施例の特徴の一つは、人間の指、あるいはペン等でタッチする面がタッチパネル基板の導電膜５２を形成した面と反対側の面にあることである。多くの静電式タッチパネル５０は導電膜５２側を人間がタッチする。導電膜５２は保護膜によって覆われているが、ペン等で繰り返しタッチされると、この保護膜が破壊し、ひいては導電膜５２も破壊する。その結果タッチパネル５０の機能が損なわれる。
【００２４】
本実施例では、タッチパネル５０の基板側を外部から接触する面とすることにより、タッチパネルに形成された導電膜が破壊することを防止している。本実施例での静電式タッチパネル５０はタッチした部分の容量の変化を検出するので、感度とノイズを適正に制御することによって、タッチパネル基板５１側を入力としても位置の検出は可能である。
【００２５】
したがって、タッチパネル５０の導電膜５２側が液晶表示パネル３０のカラーフィルタ基板２０側に接着する。タッチパネル５０は実際には、液晶表示パネル３０の上偏光板と接着することになる。この接着には紫外線硬化樹脂（ＵＶ硬化樹脂）を用いることが出来る。ＵＶ硬化樹脂を用いることによって、液晶表示パネル３０とタッチパネル５０での界面の反射を防止することが出来る。
【００２６】
液晶表示パネル３０はカラーフィルタ基板２０とＴＦＴ基板１０とその間に挟持された液晶層から構成されている。ＴＦＴ基板１０には外部回路と接続するためのフレキシブル配線基板７０との接続端子、液晶表示パネル３０を駆動するためのドライバ１１が設置されるので、カラーフィルタ基板２０よりも大きく形成されている。
【００２７】
図１に示すように、タッチパネル５０と液晶表示パネル３０とは共通のフレキシブル配線基板７０によって接続されている。フレキシブル配線基板７０の１部はバックライト４０の背後に延在し、この部分で外部回路からタッチパネル５０用および液晶表示パネル３０用の電源、信号等を受け取る。
【００２８】
図１において、液晶表示パネル３０の背面にはバックライト４０が配置されている。バックライト４０からＴＦＴ基板１０に光Ｌが入射する。バックライト４０は図示しない、光源、拡散板あるいは導光板、拡散シート、プリズムシート等の光学部品を含む。タッチパネル５０が設置される側は、カラーフィルタ基板２０であるから、通常の液晶表示装置を視認するのと同じである。すなわち、カラーフィルタ基板２０にカラーフィルタのみでなく、ブラックマトリクスを形成することによってコントラストを向上させることが出来る。
【００２９】
さらに、タッチパネル５０とフレキシブル配線基板７０との接続端子は人間が触れる側とは反対側に形成されるので、タッチパネル５０とフレキシブル配線基板７０の接続部が破壊される危険が小さい。また、液晶表示パネル３０とフレキシブル配線基板７０の接続もタッチパネル５０と液晶表示パネル３０の間になるので、同様に、接続部が破壊される危険が小さい。このように、図１の構成は多くの利点を有している。
【００３０】
図２は液晶表示パネル３０の概略斜視図である。図２において、ＴＦＴ基板１０の上にカラーフィルタ基板２０が積層されている。ＴＦＴ基板１０とカラーフィルタ基板２０との間の数μｍのわずかなギャップに図示しない液晶層がシールされている。ＴＦＴ基板１０には液晶表示パネル３０を駆動するためのドライバ１１が設置され、さらに、液晶表示パネル３０に電源や信号を供給するためのフレキシブル配線基板７０が設置されるので、ＴＦＴ基板１０はカラーフィルタ基板２０よりも大きく作られている。ＴＦＴ基板１０と接続するフレキシブル配線基板７０はタッチパネル５０の端子とも接続する。なお、図２のフレキシブル配線基板７０は模式図であるから、単純な形状であるが、実際は後述するように複雑な形状となっている。
【００３１】
図３は静電式タッチパネル５０の概略図である。図３（ａ）はタッチパネル５０の平面図である。図３（ａ）において、大部分は表示領域５５であるが、周辺に額縁部５６が形成されており、この部分に位置検出のためのセンサ、配線等が形成されている。そして、額縁部５６において、フレキシブル配線基板７０が接続されている。このフレキシブル配線基板７０は液晶表示パネル３０に接続されるフレキシブル配線基板７０と共通である。
【００３２】
図３（ｂ）は図３（ａ）のＡ−Ａ断面図である。図３（ｂ）において、表面はタッチパネル基板５１であり、透明基板である。一般にはガラスで形成されるが、透明であれば、樹脂で形成してもよい。樹脂で形成する場合、たとえば、アクリル、ポリカーボネイト等を使用することが出来る。
【００３３】
タッチパネル基板５１には透明導電膜５２が形成されている。透明導電膜５２によって位置検出のための容量、抵抗、配線等が形成されている。本実施例では、人間が触れる側はタッチパネル基板５１となっており、透明導電膜５２が破壊される危険は小さい。
【００３４】
透明導電膜５２はＳｉＯ２あるいは、ＳｉＮ等の保護膜５３によって保護されている。そして、この保護膜５３に図示しないＵＶ硬化樹脂が塗布され、液晶表示パネル３０と接着する。ＵＶ硬化樹脂は当初は液体であり、液晶表示パネル３０と接合するときは真空中で行い、ＵＶ硬化樹脂中に気泡等が巻き込まれることを防止する。
【００３５】
図４は静電式タッチパネル５０における位置検出の原理を示すものである。タッチパネル５０には一様に抵抗、容量が形成されている。つまり、図４に等価回路で示すように、内部抵抗がタッチパネルの前面に形成されている。タッチパネル５０の４隅（右上、右下、左上、左下）の各ノード（Ｃ１，Ｃ２，Ｃ３，Ｃ４）から定期的にパルス電圧が印加される。このパルス電圧の伝わり方を検出して位置を割り出す。このパルス電圧は同電位、同相である。例えば、図４において、点Ｐを触ると点Ｐの容量が変化する。この容量の変化によってコーナー部の各ノード（以下、コーナーという）（Ｃ１，Ｃ２，Ｃ３，Ｃ４）から印加されたパルスの伝わる速度が異なることになって位置検出が可能になる。
【００３６】
パルス電圧（又は交流電圧）は交流電圧生成回路２で生成される。このパルス電圧は、抵抗（Ｒ）や、透明導電膜５２の内部抵抗、透明導電膜５２に付加された寄生容量（図示せず）、指又はタッチペン等の接触部材の有する容量成分の影響で、変化する。即ち、接触部材が接触した位置Ｐで、各コーナー（Ｃ１，Ｃ２，Ｃ３，Ｃ４）に現れる電圧波形は、異なる時定数を有する電圧波形となる。各コーナー（Ｃ１，Ｃ２，Ｃ３，Ｃ４）に現れる電圧波形は標検出回路に入力される。座標検出回路は、入力された各コーナ（Ｃ１，Ｃ２，Ｃ３，Ｃ４）を基に位置Ｐを検出する。
【００３７】
図５は本実施例の平面図である。図５（ａ）は液晶表示パネル３０、タッチパネル５０、フレキシブル配線基板７０が接続された状態を示し、図５（ｂ）は液晶表示装置の平面図を示す。但し、図５（ｂ）は平面図なので、タッチパネル５０のみが見えている。図５（ａ）において、フレキシブル配線基板７０が液晶表示パネル３０とタッチパネル５０に共通に接続されている。
【００３８】
以上のように、液晶表示パネル３０とタッチパネル５０がフレキシブル配線基板７０によって接続された状態から。図５（ａ）の点線ｙに沿ってフレキシブル配線基板７０を折り曲げて液晶表示パネル３０とタッチパネル５０を重ね合わせる。折り曲げ線ｙは谷折りになる。なお、本明細書においては、折り曲げという言葉を用いるが、これはある半径をもって折り返す場合も含む。
【００３９】
その後、フレキシブル配線基板７０を点線ｘに沿って液晶表示パネル３０の背面に折り曲げると図５（ｂ）に示す液晶表示装置が完成する。点線ｘは山折りである。本実施例に示す液晶表示装置は図５（ｂ）に示すように平面的にもコンパクトなものである。この場合、フレキシブル配線基板７０を液晶表示パネル３０のバクライトの背面に折り曲げることによってコンパクトな液晶表示装置が実現できる。以下の実施例も同様である。図５（ｂ）において、右側に張り出しているフレキシブル配線基板７０の端部７３において外部回路、電源等と接続する。このフレキシブル配線基板７０の端部７３は必要に応じて短くしても良い。
【００４０】
図５（ａ）において、フレキシブル配線基板７０には折り曲げｙが容易に出来るように、切り込みＡが形成されている。すなわち、タッチパネル５０用にフレキシブル配線基板７０に形成された配線は１０本程度であるのに対し、液晶表示パネル３０用にフレキシブル配線基板７０に形成された配線は４０本程度と多い。したがって、タッチパネル５０用の配線のみであれば、フレキシブル配線基板の幅は小さく出来る。図５（ａ）においては、フレキシブル配線基板７０に切り込みＡが形成されているので、折り曲げｙは幅の狭いフレキシブル配線基板７０用配線部のみを折り曲げれば良い。したがって、折り曲げが容易であり、フレキシブル配線基板７０にかかる応力も小さくすることが出来る。
【００４１】
また、フレキシブル配線基板７０に切り込みＡを形成することによって、折り曲げｘを行う場合も折り曲げ部でのフレキシブル配線基板７０の幅が小さくなるので、折り曲げが容易になる。なお、折り曲げｘを行う場合、折り曲げの位置はできるだけフレキシブル配線基板７０に形成された配線に直角方向に曲げるのがよい。これによって配線による曲げ応力を緩和することが出来る。
【００４２】
図５（ｂ）はフレキシブル配線基板７０を折り曲げてタッチパネル５０を液晶表示パネル３０の上に設置した図である。この場合、タッチパネル５０は液晶表示パネル３０のカラーフィルタ基板２０と接着している。図５（ｂ）に示すように、フレキシブル配線基板７０は液晶表示装置の外形に対してほとんど影響を与えず、コンパクトな液晶表示装置を実現することが出来る。
【００４３】
本実施例の他の特徴は、フレキシブル配線基板７０とタッチパネル５０、あるいはフレキシブル配線基板７０と液晶表示パネル３０との接続部分を、タッチパネル５０と液晶表示パネル３０とが重ね合わさる内側に形成していることである。したがって、接続部分を外部から機械的に保護することが出来、液晶表示装置全体の信頼性を上げることが出来る。さらに、本実施例のような構成とすることによって、バクライトを液晶表示パネル３０のＴＦＴ基板１０の背後に設置することが出来、画像のコントラス特性を維持することが出来る。なお、図５（ｂ）において、液晶表示装置の横方向に出っ張っているフレキシブル配線基板７０の端部７３は必要に応じて小さく出来ることは言うまでも無い。
【実施例２】
【００４４】
図6は本発明の第２の実施例である。  図6（ａ）は液晶表示パネル３０とタッチパネル５０を重ねる前の平面図、  図6（ｂ）は液晶表示パネル３０とタッチパネル５０を重ねた後の平面図である。  図6（ａ）のフレキシブル配線基板７０において、液晶表示パネル３０用の配線は裏側に、タッチパネル５０用の配線は表側に形成されている。
【００４５】
図6（ａ）において、まず、点線ｙに沿ってフレキシブル配線基板７０を折り曲げ、液晶表示パネル３０とタッチパネル５０を重ね合わせる。このときフレキシブル配線基板７０はタッチパネル５０用の配線のみが形成された幅の狭い部分のみが折り曲げられる。したがって、折り曲げの応力は小さい。
【００４６】
液晶表示パネル３０とタッチパネル５０を重ね合わせたあと、フレキシブル配線基板７０をｘ１およびｘ２に沿って液晶表示パネル３０の背面に折り曲げる。ｘ１およびｘ２に沿ってフレキシブル配線基板７０を曲げる部分においては、フレキシブル配線基板７０は、タッチパネル５０用の配線が形成された部分と液晶表示パネル３０用の配線が形成された部分とが分離されている。
【００４７】
このような構成とすることによって、ｘ１およびｘ２の折り曲げ部分においては、フレキシブル配線基板７０の曲げ応力を小さくすることが出来る。つまり、フレキシブル配線基板７０の曲げ半径を小さくすることが出来る。したがって、実施例２のタッチパネル付き液晶表示パネル３０の外形は実施例１の場合に比してさらに小さくすることが出来る。
【００４８】
本実施例においても、フレキシブル配線基板７０とタッチパネル５０、あるいはフレキシブル配線基板７０と液晶表示パネル３０との接続部分を、タッチパネル５０と液晶表示パネル３０とが重ね合わさる内側に形成していることである。したがって、接続部分を外部から機械的に保護することが出来、液晶表示装置全体の信頼性を上げることが出来る。さらに、本実施例のような構成とすることによって、バクライトを液晶表示パネル３０のＴＦＴ基板１０の背後に設置することが出来、画像のコントラス特性を維持することが出来る。なお、  図6（ｂ）において、液晶表示装置の横方向に出っ張っているフレキシブル配線基板７０の端部７３は必要に応じて小さく出来ることは言うまでも無い。このような特徴は、以下に述べる実施例３および実施例４においても同様である。
【実施例３】
【００４９】
図7は本発明の第３の実施例である。図7（ａ）は液晶表示パネル３０とタッチパネル５０を重ねる前の平面図、図7（ｂ）は液晶表示パネル３０とタッチパネル５０を重ねた後の平面図、図7（ｃ）はフレキシブルプリント配線基板７０を液晶表示パネル３０の背面側に折り曲げた後の平面図である。図7（ａ）のフレキシブル配線基板７０において、液晶表示パネル３０用の配線とタッチパネル５０用の配線は同じ面側に形成されている。さらにフレキシブル配線基板７０は、液晶表示パネル３０の表面側と、タッチパネル５０の裏側に接続されている。なお、表面は観察者側を言い、裏面はバックライト側を言う。
【００５０】
図7（ａ）において、フレキシブル配線基板７０をｘ１に沿って折り曲げることによって液晶表示パネル３０とタッチパネル５０とを重ね合わせる。この場合も、フレキシブル配線基板７０が折り曲げられる部分では、タッチパネル用配線７２が形成された部分と液晶表示パネル用配線７１が形成された部分とに分離されているために、フレキシブル配線基板７０の曲げ応力を小さくすることが出来る。図7（ｂ）は液晶表示パネル３０とタッチパネル５０とが重ねあわされた状態を示す平面図である。図7（ｃ）は、さらにフレキシブル配線基板７０をｘ２に沿ってバックライトの背面側に折り曲げたときの平面図である。このようにすることで、タッチパネル付き液晶表示装置の外形も実施例２と同様に小さくすることが出来る。
【００５１】
図8は本実施例の第２の形態である。図8は、液晶表示パネル３０とタッチパネル５０との間隔を大きくして取り扱いをより容易にしている。図8（ａ）は液晶表示パネル３０とタッチパネル５０を重ねる前の平面図、図8（ｂ）は液晶表示パネル３０とタッチパネル５０を重ねた後の平面図、図8（ｃ）はフレキシブルプリント配線基板７０を液晶表示パネル３０の背面側に折り曲げた後の平面図である。図8（ａ）のフレキシブル配線基板７０において、液晶表示パネル３０用の配線とタッチパネル５０用の配線は同じ面側に形成されている。さらにフレキシブル配線基板７０は、液晶表示パネル３０の表面側と、タッチパネル５０の裏側に接続されている。
【００５２】
フレキシブル配線基板７０において、タッチパネル用配線７２のみが形成された部分は点線ｘ１および点線ｘ２において、折り曲げられる。タッチパネル用配線７２のみが形成された部分のフレキシブル配線基板７０の幅は小さいので、大きな応力にはならない。ｘ１は谷折り、ｘ２は山折りとなる。また、フレキシブル配線基板７０において、液晶表示パネル用配線７１のみが形成された部分は点線ｘ３において折り曲げられる。本実施形態で、液晶表示パネル３０とタッチパネル５０が重ね合わさった平面図は図8（ｃ）のようになる。
【実施例４】
【００５３】
図9は本発明の第４の実施例である。図9（ａ）は液晶表示パネル３０とタッチパネル５０を重ねる前の平面図、図9（ｂ）は液晶表示パネル３０とタッチパネル５０を重ねた後の平面図である。図9（ａ）のフレキシブル配線基板７０において、液晶表示パネル３０用の配線は裏側に、タッチパネル５０用の配線は表側に形成されている。
【００５４】
図9（ａ）において、フレキシブル配線基板７０のタッチパネル用配線７２のみが形成された部分において、点線ｙに沿ってフレキシブル配線基板７０を折り曲げて、液晶表示パネル３０とタッチパネル５０を重ね合わせる。この場合もタッチパネル用配線７２のみが形成された部分のフレキシブル配線基板７０の幅は小さいので曲げ応力は小さい。
【００５５】
本実施例ではフレキシブル配線基板７０の折り曲げ箇所は点線ｙの一箇所のみである。図9（ｂ）は液晶表示パネル３０とタッチパネル５０を重ね合わせた状態の平面図である。図9（ｂ）において、フレキシブル配線基板７０の端部７３は液晶表示装置の下側に存在している。本実施例は液晶表示装置の横方向のスペースに限りがあるが、縦方向に余裕がある場合に適している。
【００５６】
なお、上述実施例１から実施例４において、フレキシブル配線基板７０の配線は片面に形成されても良く、両面に形成されても良い。液晶表示パネル３０用の配線を裏側に、タッチパネル５０用の配線を表側に形成した場合、フレキシブル配線基板７０にスルーホールを設けて、端子を反対の面に形成している。さらにフレキシブル配線基板７０はタッチパネル５０の裏側に配設されている。
【００５７】
以上述べたように、本発明によれば、タッチパネル５０を液晶表示パネル３０のカラーフィルタ基板２０側に設置でき、かつ、フレキシブル配線基板７０とタッチパネル５０あるいはフレキシブル配線基板７０と液晶表示パネル３０との接続を液晶表示装置の内側に形成できるため、端子部を外部から機械的に保護することが出来る。さらに、フレキシブル配線基板７０を折り曲げて液晶表示装置全体をコンパクトに形成する場合のフレキシブル配線基板７０の曲げ応力を小さく出来るので、液晶表示パネル３０全体の信頼性を上げることが出来る。
【図面の簡単な説明】
【００５８】
【図１】本発明の概略分解断面図である。
【図２】液晶表示パネルの斜視図である。
【図３】静電式タッチパネルの概略図である。
【図４】静電式タッチパネルの回路図である。
【図５】実施例１の平面図である。
【図６】実施例２の平面図である。
【図７】実施例３の平面図である。
【図８】実施例３の他の形態の平面図である。
【図９】実施例４の平面図である。
【図１０】タッチパネル付液晶表示装置の従来例である。
【図１１】タッチパネル付液晶表示装置の他の従来例である。
【符号の説明】
【００５９】
１０...ＴＦＴ基板、  １１...ドライバ、  ２０...カラーフィルタ基板、  ４０...バックライト、  ５０...タッチパネル、  ５１...タッチパネル基板、  ５２...導電膜、  ５３...保護膜、  ５５...表示領域、  ５６...額縁部、  ７０...フレキシブル配線基板、  ７１...液晶表示パネル用配線、  ２３...タッチパネル用配線、  ７３...フレキシブル配線基板端部。
【図１】
2009116090.tif 000003
【図２】
2009116090.tif 000004
【図３】
2009116090.tif 000005
【図４】
2009116090.tif 000006
【図５】
2009116090.tif 000007
【図６】
2009116090.tif 000008
【図７】
2009116090.tif 000009
【図８】
2009116090.tif 000010
【図９】
2009116090.tif 000011
【図１０】
2009116090.tif 000012
【図１１】
2009116090.tif 000013